(57)【要約】【課題】撮像の興趣性を高めることのできる携帯機器、データ送受信方法、データ送受信処理プログラム及びデータ送受信システムを提供する。【解決手段】ランドマークの撮影の前に、特定のユーザによる携帯電話へのメール文書作成操作が検知される（Ｃ１０５）と、この作成された文書をメールデータ格納領域に記憶する（Ｃ１０６）。特定のユーザが、ランドマークが存在する場所に到達して、撮影操作を行うと（Ｕ１０４、Ｕ１０５）、制御部はこれを検知して（Ｃ１０７）、撮影処理を実行し（Ｃ１０８）、撮影した画像とランドマークデータに基づく画像とを照合し（Ｃ１１０）、該当ランドマークが一致する場合には、メール送信処理を実行し（Ｃ１１４）、事前に作成されていたメール文書を他のユーザが保有する他の携帯電話へ送信する。他のユーザは、特定のユーザがランドマークの存在する場所に到達したことを、送信されたメール文書にて見ることができる。【選択図】      図６
2005020665.tif 000002
【特許請求の範囲】
【請求項１】
撮像操作に伴って被写体を撮像する撮像手段と、
データを送受信する送受信手段と、
予め定められた特定の位置に存在する被写体を示す特定被写体情報を記憶した記憶手段と、
前記撮像手段により撮像された被写体と前記特被写体情報が示す被写体とを比較する比較手段と、
この比較手段による比較結果に基づき、前記両被写体に一致性がある場合に、前記送受信手段によるデータの送信又は受信の少なくとも一方を可能にする制御手段と
を備えることを特徴とする携帯機器。
【請求項２】
前記特定被写体情報は、前記被写体の画像情報であることを特徴とする請求項１記載の携帯機器。
【請求項３】
撮像操作に伴って被写体を撮像する撮像手段と、
データを送受信する送受信手段と、
予め定められた特定の位置を示す特定位置情報を記憶した記憶手段と、
前記撮像手段により被写体が撮像された位置の位置情報を取得する取得手段と、
この取得手段により取得された位置情報と前記特定位置情報とを比較する比較手段と、
この比較手段による比較結果に基づき、前記両位置情報に一致性がある場合に、前記送受信手段によるデータの送信又は受信の少なくとも一方を可能にする制御手段と
を備えることを特徴とする携帯機器。
【請求項４】
前記特定位置情報は、前記特定の被写体の存在位置を示す緯度・経度情報であることを特徴とする請求項１記載の携帯機器。
【請求項５】
文書を作成する作成手段を備え、
前記制御手段は、前記一致性がある場合に、前記作成手段により作成された文書を前記送受信手段によりデータ送信させることを特徴とする請求項１又は３記載の携帯機器。
【請求項６】
撮像操作に伴って被写体を撮像する撮像ステップと、
この撮像ステップで撮像された被写体と、特定被写体情報が示す予め定められた特定の位置に存在する被写体とを比較する比較ステップと、
この比較ステップでの比較結果に基づき、前記両被写体に一致性がある場合に、データを送受信する送受信手段によるデータの送信又は受信の少なくとも一方を可能にする制御ステップと
を含むことを特徴とするデータ送受信方法。
【請求項７】
撮像操作に伴って被写体を撮像する撮像ステップと、
この撮像ステップで被写体が撮像された位置の位置情報を取得する取得ステップと、
この取得ステップにより取得された位置情報と予め定められた特定の位置を示す特定位置情報とを比較する比較ステップと、
この比較ステップでの比較結果に基づき、前記両位置情報に一致性がある場合に、データを送受信する送受信手段によるデータの送信又は受信の少なくとも一方を可能にする制御ステップと
を含むことを特徴とするデータ送受信方法。
【請求項８】
携帯機器が有するコンピュータを、
撮像手段により撮像された被写体と、予め定められた特定の位置に存在する被写体を示す特定被写体情報とを比較する比較手段と、
この比較手段による比較結果に基づき、前記両被写体に一致性がある場合に、データを送受信する送受信手段によるデータの送信又は受信の少なくとも一方を可能にする制御手段、
として機能させることを特徴とするデータ送受信処理プログラム。
【請求項９】
携帯機器が有するコンピュータを、
撮像手段により被写体が撮像された位置の位置情報を取得する取得手段と、
この取得手段により取得された位置情報と、予め定められた特定の位置を示す特定位置情報とを比較する比較手段と、
この比較手段による比較結果に基づき、前記両被写体に一致性がある場合に、データを送受信する送受信手段によるデータの送信又は受信の少なくとも一方を可能にする制御手段、
として機能させることを特徴とするデータ送受信処理プログラム。
【請求項１０】
相互に通信可能な携帯機器とサーバ装置とで構成されるデータ送受信システムであって、
前記携帯機器は、
撮像操作に伴って被写体を撮像する撮像手段と、
この撮像手段により撮像された被写体の画像データを送信する第１の送信手段と、
文書を作成する作成手段と、
前記サーバ装置から送信される送信許可データを受信する受信手段と、
この受信手段により前記送信許可データが受信された場合に、前記作成手段により作成された文書を前記サーバ装置にデータ送信する第２の送信手段と
を備え、
前記サーバ装置は、
予め定められた特定の位置に存在する被写体を示す特定被写体情報を記憶した記憶手段と、
前記携帯機器から送信される前記画像データを受信する受信手段と、
この受信手段により受信された画像データに基づく被写体と前記特被写体情報が示す被写体とを比較する比較手段と、
この比較手段による比較結果に基づき、前記両被写体に一致性がある場合に、前記送信許可データを送信する送信手段と
を備えることを特徴とするデータ送受信システム。
【請求項１１】
相互に通信可能な携帯機器とサーバ装置とで構成されるデータ送受信システムであって、
前記携帯機器は、
撮像操作に伴って被写体を撮像する撮像手段と、
この撮像手段により被写体が撮像された位置の位置情報を取得する取得手段と、
この取得手段により取得された位置情報を送信する第１の送信手段と、
文書を作成する作成手段と、
前記サーバ装置から送信される送信許可データを受信する受信手段と、
この受信手段により前記送信許可データが受信された場合に、前記作成手段により作成された文書を前記サーバ装置にデータ送信する第２の送信手段と
を備え、
前記サーバ装置は、
予め定められた特定の位置を示す特定位置情報を記憶した記憶手段と、
前記携帯機器から送信される前記位置情報を受信する受信手段と、
この受信手段により受信された位置情報と前記特定位置情報とを比較する比較手段と、
この比較手段による比較結果に基づき、前記両位置情報に一致性がある場合に、前記送信許可データを送信する送信手段と
を備えることを特徴とするデータ送受信システム。
【発明の詳細な説明】
【０００１】
【発明の属する技術分野】
【０００２】
本発明は、撮像機能とデータ送受信機能とを備える携帯機器、データ送受信方法、データ送受信処理プログラム及びデータ送受信システムに関する。
【０００３】
【従来の技術】
【０００４】
従来、撮影位置情報を画像とともに記録可能なカメラ装置が提案されている。このカメラ装置は、撮像時に測距部で被写体との距離を計測して距離データを制御部に送る。また、方位計測部で被写体の方向を計測して方位データを制御部に送る。さらに、ＧＰＳ処理部は、撮影指示の直前にＧＰＳ衛星から送られてきた位置情報を基に測位を行い、測位結果を制御部に送出する。制御部は、取得したカメラと被写体との距離、被写体の方位及びカメラ位置を基に被写体の位置を算出し、撮影処理時にフラッシュメモリに保存記録される撮影画像に被写体の位置情報を対応付けて保存記録するものである（例えば、特許文献１参照。）。
【０００５】
【特許文献１】
特開２００１−１２８０５２号公報
【０００６】
【発明が解決しようとする課題】
【０００７】
しかしながら、前述したカメラ装置においては、カメラ内に撮影画像と被写体の位置情報とが保存記録されるに過ぎないものであることから、ユーザ以外の他人は当該カメラを携帯して外出したユーザが特定の位置に到達したか否かを知ることができない。したがって、例えば特定の地点に最も早く到達したことを競うゲームにこのカメラ装置を用いることもできず、興趣性が得られるものではなかった。
【０００８】
本発明は、このような従来の課題に鑑みてなされたものであり、撮像の興趣性を高めることのできる携帯機器、データ送受信方法、データ送受信処理プログラム及びデータ送受信システムを提供することを目的とするものである。
【０００９】
【課題を解決するための手段】
【００１０】
前記課題を解決するために請求項１記載の発明に係るデータ携帯機器にあっては、撮像操作に伴って被写体を撮像する撮像手段と、データを送受信する送受信手段と、予め定められた特定の位置に存在する被写体を示す特定被写体情報を記憶した記憶手段と、前記撮像手段により撮像された被写体と前記特被写体情報が示す被写体とを比較する比較手段と、この比較手段による比較結果に基づき、前記両被写体に一致性がある場合に、前記送受信手段によるデータの送信又は受信の少なくとも一方を可能にする制御手段とを備える。
したがって、ユーザはこの携帯機器を携帯して予め定められた特定の位置に存在する被写体まで行き、該被写体を撮像した場合に、メール等のデータの送信や受信が可能となる。よって、ユーザ以外の他人は、当該ユーザからデータを受信することにより、携帯機器を携帯して外出したユーザが特定の位置に到達したことを遠隔地で知ることができる。したがって、例えば特定の地点に最も早く到達したことを競うゲームにこの携帯機を用いることもでき、撮像機能を有する携帯機器の興趣性が向上する。
【００１１】
また、請求項２記載の発明に係る携帯機器にあっては、前記特定被写体情報は、前記被写体の画像情報である。したがって、画像同士のマッチングにより、精度よく前記両被写体の一致性を判断することができる。
【００１２】
また、請求項３記載の発明に係る携帯機器にあっては、撮像操作に伴って被写体を撮像する撮像手段と、データを送受信する送受信手段と、予め定められた特定の位置を示す特定位置情報を記憶した記憶手段と、前記撮像手段により被写体が撮像された位置の位置情報を取得する取得手段と、この取得手段により取得された位置情報と前記特定位置情報とを比較する比較手段と、この比較手段による比較結果に基づき、前記両位置情報に一致性がある場合に、前記送受信手段によるデータの送信又は受信の少なくとも一方を可能にする制御手段とを備える。
したがって、ユーザは前述同様に、この携帯機器を携帯して予め定められた特定の位置に存在する被写体まで行き、該被写体を撮像した場合に、メール等のデータの送信や受信が可能となる。よって、当該ユーザからのデータを受信したユーザ以外の他人は、携帯機器を携帯して外出したユーザが特定の位置に到達したことを遠隔地で知ることができる。したがって、例えば特定の地点に最も早く到達したことを競うゲームにこの携帯機を用いることもでき、撮像機能を有する携帯機器の興趣性が向上する。
【００１３】
また、請求項４記載の発明に係る携帯機器にあっては、前記特定位置情報は、前記特定の被写体の存在位置を示す緯度・経度情報である。したがって、緯度・経度の比較により、携帯機器を携帯して外出したユーザが特定の位置に到達したことを精度よく検出することができる。
【００１４】
また、請求項５記載の発明に係る携帯機器にあっては、文書を作成する作成手段を備え、前記制御手段は、前記一致性がある場合に、前記作成手段により作成された文書を前記送受信手段によりデータ送信させる。したがって、この携帯機器を携帯して予め定められた特定の位置に存在する被写体まで行き、該被写体を撮像した場合に、作成した文書をデータ送信することが可能となり、前記ゲームにこの携帯機を一層有効に用いることができる。
【００１５】
また、請求項６記載の発明に係るデータ送受信方法にあっては、撮像操作に伴って被写体を撮像する撮像ステップと、この撮像ステップで撮像された被写体と、特定被写体情報が示す予め定められた特定の位置に存在する被写体とを比較する比較ステップと、この比較ステップでの比較結果に基づき、前記両被写体に一致性がある場合に、データを送受信する送受信手段によるデータの送信又は受信の少なくとも一方を可能にする制御ステップとを含む。したがって、記載したステップに従って処理を実行することにより、請求項１記載の発明と同様の作用効果を奏する。
【００１６】
また、請求項７記載の発明に係るデータ送受信方法にあっては、撮像操作に伴って被写体を撮像する撮像ステップと、この撮像ステップで被写体が撮像された位置の位置情報を取得する取得ステップと、この取得ステップにより取得された位置情報と予め定められた特定の位置を示す特定位置情報とを比較する比較ステップと、この比較ステップでの比較結果に基づき、前記両位置情報に一致性がある場合に、データを送受信する送受信手段によるデータの送信又は受信の少なくとも一方を可能にする制御ステップとを含む。したがって、記載したステップに従って処理を実行することにより、請求項３記載の発明と同様の作用効果を奏する。
【００１７】
また、請求項８記載の発明に係るデータ送受信処理プログラムにあっては、携帯機器が有するコンピュータを、撮像手段により撮像された被写体と、予め定められた特定の位置に存在する被写体を示す特定被写体情報とを比較する比較手段と、この比較手段による比較結果に基づき、前記両被写体に一致性がある場合に、データを送受信する送受信手段によるデータの送信又は受信の少なくとも一方を可能にする制御手段として機能させる。したがって、前記コンピュータがこのプログラムに従って処理を実行することにより、請求項１記載の発明と同様の作用効果を奏する。
【００１８】
また、請求項９記載の発明に係るデータ送受信処理プログラムにあっては、携帯機器が有するコンピュータを、撮像手段により被写体が撮像された位置の位置情報を取得する取得手段と、この取得手段により取得された位置情報と、予め定められた特定の位置を示す特定位置情報とを比較する比較手段と、この比較手段による比較結果に基づき、前記両被写体に一致性がある場合に、データを送受信する送受信手段によるデータの送信又は受信の少なくとも一方を可能にする制御手段として機能させる。したがって、前記コンピュータがこのプログラムに従って処理を実行することにより、請求項３記載の発明と同様の作用効果を奏する。
【００１９】
また、請求項１０記載の発明にあっては、相互に通信可能な携帯機器とサーバ装置とで構成されるデータ送受信システムであって、前記携帯機器は、撮像操作に伴って被写体を撮像する撮像手段と、この撮像手段により撮像された被写体の画像データを送信する第１の送信手段と、文書を作成する作成手段と、前記サーバ装置から送信される送信許可データを受信する受信手段と、この受信手段により前記送信許可データが受信された場合に、前記作成手段により作成された文書を前記サーバ装置にデータ送信する第２の送信手段とを備え、前記サーバ装置は、予め定められた特定の位置に存在する被写体を示す特定被写体情報を記憶した記憶手段と、前記携帯機器から送信される前記画像データを受信する受信手段と、この受信手段により受信された画像データに基づく被写体と前記特被写体情報が示す被写体とを比較する比較手段と、この比較手段による比較結果に基づき、前記両被写体に一致性がある場合に、前記送信許可データを送信する送信手段とを備える。
【００２０】
したがって、ユーザはこの携帯機器を携帯して予め定められた特定の位置に存在する被写体まで行き、該被写体を撮像した場合に、作成した文書をデータ送信することが可能となる。よって、ユーザ以外の他人が、前記文書データを受信することにより、携帯機器を携帯して外出したユーザが特定の位置に到達したことを遠隔地で知ることが可能なシステムを構築することができる。したがって、例えば特定の地点に最も早く到達したことを競うゲームにこの携帯機を用いることもでき、撮像機能を有する携帯機器の興趣性が向上させ得るシステムを構築することができる。
【００２１】
また、請求項１１記載の発明にあっては、相互に通信可能な携帯機器とサーバ装置とで構成されるデータ送受信システムであって、前記携帯機器は、撮像操作に伴って被写体を撮像する撮像手段と、この撮像手段により被写体が撮像された位置の位置情報を取得する取得手段と、この取得手段により取得された位置情報を送信する第１の送信手段と、文書を作成する作成手段と、前記サーバ装置から送信される送信許可データを受信する受信手段と、この受信手段により前記送信許可データが受信された場合に、前記作成手段により作成された文書を前記サーバ装置にデータ送信する第２の送信手段と備え、前記サーバ装置は、予め定められた特定の位置を示す特定位置情報を記憶した記憶手段と、前記携帯機器から送信される前記位置情報を受信する受信手段と、この受信手段により受信された位置情報と前記特定位置情報とを比較する比較手段と、この比較手段による比較結果に基づき、前記両位置情報に一致性がある場合に、前記送信許可データを送信する送信手段とを備える。
【００２２】
したがって、前述と同様に、ユーザ以外の他人が、携帯機器を携帯して外出したユーザが特定の位置に到達したことを遠隔地で知ることが可能なシステムを構築することができる。したがって、例えば特定の地点に最も早く到達したことを競うゲームにこの携帯機を用いることもでき、撮像機能を有する携帯機器の興趣性が向上させ得るシステムを構築することができる。
【００２３】
【発明の実施の形態】
【００２４】
（第１の実施の形態）
【００２５】
以下、本発明の第１の実施の形態を図に従って説明する。図１は、本実施の形態に係るメール送受信システムの構成を示すブロック図である。図において、デジタルカメラ（携帯機器）１ａ，１ｂは、撮像機能とメール作成機能及び作成したメールを、システム（特に、後述するメールサーバ３３）介して相互に送受信するを備えている。無線基地局２、２は、デジタルカメラ１ａ，１ｂが加入する通信サービス事業者（インターネットプロバイダを含む）３に接続する。
【００２６】
通信サービス事業者（インターネットプロバイダを含む）３は、主なサービスとして提供しているメールサービスに必要とする交換機３４の他、後述のＷＷＷ５に接続するためのシステム（メインサーバ３１、Ｗｅｂサーバ３２、ルータ３５）、メールシステム（メールサーバ３３）を備えている。また、無線基地局２をＡＰ（アクセス・ポイント）として、デジタルカメラ１ａ，１ｂをＷＷＷ５に接続させるための機能も備えている。
【００２７】
通信回線網４は、アナログ回線、デジタル回線、広域ＬＡＮ、ＡＤＳＬ回線を含む、既知の通信回線網であり、ＷＷＷ５は所謂インターネットである。
【００２８】
インターネットサービスプロバイダ（以下、ＩＳＰと称す）６は、交換機３４を除いて、通信サービス事業者３と同じ構成であり、ＷＷＷ５に接続するためのシステム（便宜的にメインサーバ６１、Ｗｅｂサーバ６２、ルータ６５）、メールシステム（メールサーバ６３）を備えている。パーソナルコンピュータ７は、一般家庭に存在するケースを示すためのものであり、通信回線網４、ＩＳＰ６を介して、ＷＷＷ５に接続したり、メールの送受信を行う機能を備えている。
【００２９】
図２は、デジタルカメラ１ａ、１ｂの構成を示すブロック図である。無線送受信部２０は、アンテナ１１を介してＣＤＭＡ方式の無線信号を受信し、後段の無線信号処理部２１に出力する一方、無線信号処理部２１から入力された各種データを無線信号に変調してアンテナ１１より出力する。無線信号処理部２１は、無線送受信部２０で受信した各種データを復調して、パケット送信されたデータ（メールデータ）を、ＲＡＭ２９に出力する。また一方、送信の際には、送信するためのメールデータを変調するなどの無線通信に必要な処理をする。制御部２２は、各種動作及び全体の動作を制御する。
【００３０】
キー操作部１４には、電源スイッチキー、シャッターキー、文字入力キー、テンキー、各種機能キー（メールキー、アドレスキー、ファンクションキー）などからなる。メールキーは、メール機能を起動し、メールメニューを表示するためのものである。アドレスキーは、送信先のメールアドレスを選択する際に用いるアドレス帳を開くためのものである。
【００３１】
画像メモリ２３は、撮像部１８で撮像され、後述する画像プログラム領域２４２に格納されているプログラムにより圧縮符号化された画像ファイルや、ＷＷＷ５を介してダウンロードした画像ファイルをファイル名とともに格納するためのメモリである。ＲＯＭ２４は、書換可能なＦｌａｓｈ  ＲＯＭで構成され、本発明の特徴となる、後述のフローチャートにより示すプログラム等の各種プログラムを格納する。
【００３２】
ドライバ２５は、表示部１３を駆動する。加入者情報記憶部２７は、操作者（加入者）のＩＤ等、プロフィールデータを格納する。システムＲＯＭ２８は、制御部２２を制御する各種プログラムなどを格納する。ＲＡＭ２９は、無線通信端末として必要な各種データを記憶し、かつ制御部２２が動作する上で必要なデータを格納するとともに、メールデータも格納記憶する。報知デバイス１９２は、メール受信時に発音する報知スピーカ１９、及び振動動作するバイブレータ１９１を駆動させるためのドライバである。ＧＰＳモジュール１２は、測地衛星からのＬ１帯のＣ／Ａコードを受信して復調・解読し現在位置の緯度・経度を割り出すものであり、ＧＰＳモジュール１２により割り出された緯度・経度の情報は制御部２２に取り込まれる。
【００３３】
図３は、前記撮像部１８の詳細を示すブロック図である。撮像部１８は、光学レンズ１８１、この光学レンズ１８１により結像されるＣＣＤ等の撮像素子１８２と、撮像素子１８２を駆動するためのＴＧ１８３と、撮像素子１８２から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路１８４を有している。そして、被写体の像が光学レンズ１８１を介して撮像素子１８２上に結像され、撮像素子１８２は信号を出力する。この撮像素子１８２から出力された信号は、ユニット回路１８４にて、サンプリング、増幅、デジタル化され、制御部２２に送られて、この制御部２２内で輝度に変換され、輝度の積分やヒストグラム処理が行われる。
【００３４】
前記光学レンズ１８１は、ＡＦモータ等を備えるレンズ駆動回路１８５に保持されており、レンズ駆動回路１８５が制御部２２の制御により駆動されることにより光軸方向に移動し、撮像素子１８２に結像される被写体像のフォーカスを調整する。また、ＡＥ制御時には、撮像素子１８２が、制御部２２から送られるシャッターパルスに基づきＴＧ１８３によって駆動され、その電荷蓄積時間を制御される。これにより電子シャッターが実現される。
【００３５】
制御部２２は各種の信号処理、及び画像処理機能を備えたものであり、ユニット回路１８４を経てデジタル信号に変換された撮像信号からビデオ信号を生成し、撮像素子１８２によって撮像した被写体像をスルー画像として前記表示部１３に表示させる。また、撮像時には、撮像信号を圧縮してＪＰＥＧフォーマットの画像ファイルを生成し、それを前記画像メモリ２３に記憶させ、再生時には圧縮した画像ファイルを伸張して表示部１３に表示させる。
【００３６】
図４は、ＲＯＭ２４のメモリエリアの構成を示す概念図である。このＲＯＭ２４は、本実施の形態の特徴であるソフトウェアプログラムを格納する。ＲＯＭ２４は、メールソフトウェアプログラム領域２４１と、画像処理プログラム領域２４２及びランドマークデータ領域２４３からなる。ここでいう「ランドマーク」とは、その土地の象徴となるような建物または記念碑を指す。
【００３７】
メールソフトウェアプログラム領域２４１は、アプリケーション本体を格納する。画像処理プログラム領域２４２は、撮像部１８で撮像され、デジタル符号化された画像を、ＪＰＥＧ方式やＰＮＧ、ＧＩＦ方式で圧縮処理するための画像処理プログラムを格納する。ランドマークデータ領域２４３には、ランドマークとされた各地に実在する建築物等のランドマークの画像データ、又は当該ランドマークの特徴を示す画像データであるランドマークデータが複数記憶されている。
【００３８】
図５は、ＲＡＭ２９のメモリエリアの構成を示す概念図である。ＲＡＭ２９は、アドレス帳データ格納領域２９１、メールデータ格納領域２９２、添付ファイル格納領域２９３及びその他・ワークメモリ２９４からなる。アドレス帳データ格納領域２９１は、氏名、電話番号、メールアドレス等を一組のレコードとして複数記憶する。メールデータ格納領域２９２は、メールソフトウェアを使用して作成されたメールデータや、受信したメールデータを格納する。添付ファイル格納領域２９３は、メールにファイルが添付されている場合、このファイルを格納する。その他・ワークメモリ２９４は、その他のワークメモリとして各種データ格納する。
【００３９】
次に、以上の構成に係る本実施形態の動作について説明する。本実施の形態においては、デジタルカメラ１ａのユーザが、デジタルカメラ１ｂ宛てにメールを作成・送信する場合について述べる。
すなわち、デジタルカメラ１ａのユーザは、図６のフローチャートに示すように、先ずデジタルカメラ１ａの電源をオンにする（ステップＵ１０１）。すると、デジタルカメラ１ａの制御部２２は、ＲＯＭ２４に格納されているプログラムに基づき動作を開始して、電源オンを検知する（ステップＣ１０１）。そして、設定モード開始処理を行っていずれかのモードが設定されるまで待機する（ステップＣ１０２）。
【００４０】
したがって、ユーザがキー操作部１４での操作によりメールモードをオンにすると（ステップＵ１０２）、デジタルカメラ１ａの制御部２２は、メールモードを設定してアプリケーションデータを表示バッファに出力する（ステップＣ１０４）。これにより、表示部１３にメール文書を表示させつつメールを作成することが可能となり、ユーザは、表示部１３を視認しつつ文字キーを操作してメール文書を作成する（ステップＵ１０３）。メール文書は、たとえば、図７（Ａ）に示すように、「Ａチームです。○○ランドマークに到着しました。」という文書である。
制御部２２は、このメール文書作成操作を検知し（ステップＣ１０５）、作成された文書データをメールデータ格納領域２９２に出力して記憶させる（ステップＣ１０６）。このとき、入力されたデジタルカメラ１ｂのユーザのメールアドレスもメールデータ格納領域２９２に出力して記憶させる。
【００４１】
図７（Ａ）に示すように、メール作成が終了したならば、ユーザはデジタルカメラ１ａを携帯して、前記ランドマークデータ領域２４３に記憶されているランドマークデータのいずれかに対応するランドマークが存在する場所に向かう。
【００４２】
そして、ユーザが図７（Ｂ）に示すようにランドマークＬが存在する場所に到達して、撮影を行うべくシャッターキーを押下して、撮影実行操作を行うと（ステップＵ１０４、Ｕ１０５）、制御部２２はこれを検知して（ステップＣ１０７）、撮影処理を実行する（ステップＣ１０８）。すなわち、ユニット回路１８４を経てデジタル信号に変換された撮影信号を圧縮してＪＰＥＧフォーマットの画像ファイルを生成し、この画像ファイルを画像メモリ２３に格納する。
【００４３】
次に、ランドマーク認識処理を行って（ステップＣ１０９）、画像メモリ２３に記憶させた画像ファイルに基づく画像とランドマークデータ領域２４３に記憶されているランドマークデータに基づく画像とをマッチング（照合）する。そして、画像メモリ２３に記憶させた画像ファイルに基づく画像中に、前記ランドマークデータに基づく画像の該当ランドマークが存在するか否かを判断する（ステップＣ１１０）。該当ランドマークが存在しない場合には、ステップＣ１１１の処理を行うことなくステップＣ１１２に進む。該当ランドマークが存在する場合には、メールデータ送受信フラグをＯＮにする（ステップＣ１１１）。
【００４４】
一方、ユーザは撮影操作（ステップＵ１０５）を行った後、メール送受信処理を実行させるべく、メール送受信操作を行う（ステップＵ１０７）。すると、制御部２２はこれを検知した後（ステップＣ１１２）、メール送受信フラグがＯＮであるか否かを判断する（ステップＣ１１３）。メール送受信フラグがＯＮである場合には、メール送信処理を実行して、メールデータ格納領域２９２に格納されている未送信のメール文書、すなわち、図７（Ａ）に示す「Ａチームです。○○ランドマークに到着しました。」というメール文書を送信する（ステップＣ１１４）。これにより、図７（Ｃ）に示すように、メールＭがデジタルカメラ１ａからデジタルカメラ１ｂに送信されることとなり、「Ａチームです。○○ランドマークに到着しました。」というメール文書を同デジタルカメラ１ｂの表示部１Ｂにて見ることができる。しかる後に、メールデータ送受信フラグをＯＦＦにする（ステップＣ１１５）。
【００４５】
しかし、ステップＣ１１０での判断の結果、該当ランドマークが存在しない場合には、ステップＣ１１１の処理が行われないことから、メールデータ送受信フラグはＯＦＦ状態に放置される。したがって、ステップＣ１１３の判断がＮＯとなることから、ステップＣ１１４とステップＣ１１５の処理が実行されない。したがって、デジタルカメラ１ａのユーザは、ランドマーク以外を撮影してもメールを送信することはできず、ランドマークに到達してこれを撮影した場合にのみメールを送信することが可能となる。
【００４６】
なお、本実施の形態においては、ＲＯＭ２４にランドマークデータを記憶させるようにしたが、ＲＡＭ２９にランドマークデータとメールアドレスとを記憶させておき、当該ランドマークを撮影した際には対応するメールアドレスにメールを送信するようにしてもよい。また、記憶させるランドマークのデータは、１箇所のランドマークのみであってもよい。
また、画像メモリ２３に記憶させた画像ファイルに基づく画像とランドマークデータ領域２４３に記憶されているランドマークデータに基づく画像とをマッチング（照合）するが、各画像間が完全に一致している場合でもよいが、予め定められている類似性の範囲内であってもよい。
【００４７】
（第２の実施の形態）
図８は、本発明の第２の実施の形態におけるＲＯＭ２４のメモリエリアの構成を示す概念図である。このＲＯＭ２４は、前記メールソフトウェアプログラム領域２４１と、画像処理プログラム領域２４２とが設けられているともに、特定位置データ領域２４４が設けられている。この特定位置データ領域２４４には、メールの送受信を可能とする特定の場所のデータである特定位置データが緯度・経度で複数記憶されている。
【００４８】
次に、以上の構成に係る本実施形態の動作について説明する。本実施の形態においても、デジタルカメラ１ａのユーザが、デジタルカメラ１ｂ宛てにメールを作成・送信する場合について述べる。デジタルカメラ１ａのユーザは、図９のフローチャートに示すように、先ずデジタルカメラ１ａの電源をオンにする（ステップＵ２０１）。すると、デジタルカメラ１ａの制御部２２は、ＲＯＭ２４に格納されているプログラムに基づき動作を開始して、電源オンを検知する（ステップＣ２０１）。そして、設定モード開始処理を行っていずれかのモードが設定されるまで待機する（ステップＣ２０２）。
【００４９】
したがって、ユーザがキー操作部１４での操作によりメールモードをオンにすると（ステップＵ２０２）、デジタルカメラ１ａの制御部２２は、メールモードを設定してアプリケーションデータを表示バッファに出力する（ステップＣ２０４）。これにより、表示部１３にメール文書を表示させつつメールを作成することが可能となり、ユーザは、表示部１３を視認しつつ文字キーを操作してメール文書を作成する（ステップＵ２０３）。制御部２２は、このメール文書作成操作を検知し（ステップＣ２０５）、作成された文書データをメールデータ格納領域２９２に出力して記憶させる（ステップＣ２０６）。このとき、入力されたデジタルカメラ１ｂのユーザのメールアドレスもメールデータ格納領域２９２に出力して記憶させる。
【００５０】
図１０（Ａ）に示すように、メール作成が終了したならば、ユーザはデジタルカメラ１ａを携帯して、前記特定位置データ領域２４４に記憶されている特定位置データのいずれかに対応する特定位置が存在する場所に向かう。
【００５１】
そして、ユーザが図１０（Ｂ）に示すように特定位置Ｐが存在する場所に到達して、撮影を行うべくシャッターキーを押下して、撮影実行操作を行うと（ステップＵ２０４、Ｕ２０５）、制御部２２はこれを検知して（ステップＣ２０７）、撮影処理を実行する（ステップＣ２０８）。すなわち、ユニット回路１８４を経てデジタル信号に変換された撮影信号を圧縮してＪＰＥＧフォーマットの画像ファイルを生成し、この画像ファイルを画像メモリ２３に格納する。
【００５２】
次に、撮影位置認識処理を行って（ステップＣ２０９）、ＧＰＳモジュール１２が割り出した現在位置の緯度・経度と、特定位置データ領域２４４に記憶されている特定データが示す緯度・経度とを比較する。そして、現在の緯度・経度が、前記特定データが示す緯度・経度のいずれかに該当する否か、つまり該当位置であるか否かを判断する（ステップＣ２１０）。該当位置でない場合には、ステップＣ２１１の処理を行うことなくステップＣ２１２に進む。該当位置である場合には、メールデータ送受信フラグをＯＮにする（ステップＣ２１１）。
【００５３】
一方、ユーザは撮影操作（ステップＵ２０５）を行った後、メール送受信処理を実行させるべく、メール送受信操作を行う（ステップＵ２０７）。すると、制御部２２はこれを検知した後（ステップＣ２１２）、メール送受信フラグがＯＮであるか否かを判断する（ステップＣ２１３）。メール送受信フラグがＯＮである場合には、メール送信処理を実行して、メールデータ格納領域２９２に格納されている未送信のメールを送信する（ステップＣ２１４）。これにより、図１０（Ｃ）に示すように、メールＭがデジタルカメラ１ａからデジタルカメラ１ｂに送信されることとなる。しかる後に、メールデータ送受信フラグをＯＦＦにする（ステップＣ２１５）。
【００５４】
しかし、ステップＣ２１０での判断の結果、該当位置でない場合には、ステップＣ２１１の処理が行われないことから、メールデータ送受信フラグはＯＦＦ状態に放置される。したがって、ステップＣ２１３の判断がＮＯとなることから、ステップＣ２１４とステップＣ２１５の処理が実行されない。したがって、デジタルカメラ１ａのユーザは、特定位置以外を撮影してもメールを送信することはできず、特定位置に到達してこれを撮影した場合にのみメールを送信することが可能となる。
【００５５】
なお、本実施の形態においては、ＲＯＭ２４に特定位置データを記憶させるようにしたが、ＲＡＭ２９に特定位置データとメールアドレスとを記憶させておき、当該特定位置で撮影した際にには対応するメールアドレスにメールを送信するようにしてもよい。また、記憶させる特定位置のデータは、１箇所の特定位置のみであってもよい。
【００５６】
また、本実施の形態においては、ステップＣ２１０で、現在の緯度・経度が、前記特定データが示す緯度・経度のいずれかに該当する否か、つまり一致するか否かを判断するようにしたが、一定の誤差がある場合にも一致性があるものと判断するよにしてもよい。
【００５７】
（第３の実施の形態）
図１１は、本発明の第２の実施の形態におけるＲＯＭ２４のメモリエリアの構成を示す概念図である。このＲＯＭ２４には、前記メールソフトウェアプログラム領域２４１と、画像処理プログラム領域２４２とが設けられているが、第２の実施の形態で示したランドマークデータ領域２４３や、第２の実施の形態で示した特定位置データ領域２４４は設けられていない。但し、図１４に示すように、ランドマークＬに前記メールサーバ３３が備え付けられており、このメールサーバ３３に当該ランドマークＬの画像データ、又は当該ランドマークＬの特徴を示す画像データが記憶されている。
【００５８】
次に、以上の構成に係る本実施形態の動作について説明する。本実施の形態においても、メールをデジタルカメラ１ａのユーザが、メールサーバ３３を介してデジタルカメラ１ｂ宛てに作成・送信する場合について述べる。デジタルカメラ１ａのユーザは、図１１のフローチャートに示すように、先ずデジタルカメラ１ａの電源をオンにする（ステップＵ３０１）。すると、デジタルカメラ１ａの制御部２２は、ＲＯＭ２４に格納されているプログラムに基づき動作を開始して、電源オンを検知する（ステップＣ３０１）。そして、設定モード開始処理を行っていずれかのモードが設定されるまで待機する（ステップＣ３０２）。
【００５９】
したがって、ユーザがキー操作部１４での操作によりメールモードをオンにすると（ステップＵ３０２）、デジタルカメラ１ａの制御部２２は、メールモードを設定してアプリケーションデータを表示バッファに出力する（ステップＣ３０４）。これにより、表示部１３にメール文書を表示させつつメールを作成することが可能となり、ユーザは、表示部１３を視認しつつ文字キーを操作してメール文書を作成する（ステップＵ３０３）。制御部２２は、このメール文書作成操作を検知し（ステップＣ３０５）、作成された文書データをメールデータ格納領域２９２に出力して記憶させる（ステップＣ３０６）。このとき、入力されたデジタルカメラ１ｂのユーザのメールアドレスもメールデータ格納領域２９２に出力して記憶させる。
【００６０】
図１４（Ａ）に示すように、メール作成が終了したならば、ユーザはデジタルカメラ１ａを携帯して、前記ランドマークＬが存在する場所に向かう。そして、ユーザが図１４（Ｂ）に示すようにランドマークＬが存在する場所に到達して、撮影を行うべくシャッターキーを押下して、撮影実行操作を行うと（図１２のステップＵ３０４、Ｕ３０５）、制御部２２はこれを検知して（ステップＣ３０７）、撮影処理を実行する（ステップＣ３０８）。すなわち、ユニット回路１８４を経てデジタル信号に変換された撮影信号を圧縮してＪＰＥＧフォーマットの画像ファイルを生成し、この画像ファイルを画像メモリ２３に格納する。次に、ランドマークサーバ認識処理を行って、画像メモリ２３に記憶させた画像ファイルをメールサーバ３３に送信する（ステップＣ３０９）。
【００６１】
すると、メールサーバ３３は、図１４に示すように、デジタルカメラ１ａから送信されてきた画像ファイルを受信し（ステップＳ３０１）、この画像ファイルに基づく画像と前記ランドマークＬの画像とをマッチングする（ステップＳ３０２）。そして、受信した画像ファイルに基づく画像中に、ランドマークＬが存在するか否かを判断する（ステップＳ３０３）。当該ランドマークＬが存在しない場合には、ステップＳ３１１の処理を行うことなく処理を終了する。また、当該ランドマークＬが存在する場合には、メールサーバ３３にメールデータ送受信するための専用アドレスであるメールアドレスデータを送信する（ステップＳ３０４、図１４（Ｃ））。
【００６２】
一方、デジタルカメラ１ａの制御部２２は、図１３に示すように、メールサーバ３３からのデータ送信があったか否かを判断し（ステップＣ３１０）、送信があったならば、前述したステップＳ３０４での処理によりメールサーバ３３から送信されてきたメールアドレスデータを受信する（ステップＣ３１１）。
【００６３】
他方、ユーザは撮影操作（ステップＵ３０５）を行った後、メール送受信処理を実行させるべく、メール送受信操作を行う（ステップＵ３０７）。すると、制御部２２はこれを検知した後（ステップＣ３１２）、メール送受信が可能であるか否かを判断する（ステップＣ３１３）。このメール送受信が可能か否かの判断は、前述のステップＣ１１の処理が実行されたか否か、つまりメールアドレスデータを受信したか否かによって行う。
【００６４】
そして、メールアドレスデータが受信されておりメール送受信が可能である場合にはメール送信処理を実行して、当該メールアドレスデータが示すメールサーバ３３のアドレスに、メールデータ格納領域２９２に格納されている未送信のメールを送信する（ステップＣ３１４）。メールＭは、メールアドレスデータが示すアドレスでメールサーバ３３に送信された後、デジタルカメラ１ｂのアドレスにより図１４（Ｄ）に示すように、デジタルカメラ１ｂに送信されることとなる。しかる後に、秘密性を要するメールアドレスデータを消去する（ステップＣ３１５）。
【００６５】
しかし、図１４のステップＳ３０３での判断の結果、デジタルカメラ１ａから送信されてきた画像ファイルに基づく画像中に、当該ランドマークＬが存在しない場合には、メールサーバ３３はステップＳ３０４の処理を行わず、メールアドレスデータを送信しない。したがって、デジタルカメラ１ａは、メールアドレスデータを受信できないことから、デジタルカメラ１ａのユーザは、ランドマークＬ以外を撮影してもメールを送信することはできず、ランドマークＬに到達してこれを撮影した場合にのみメールを送信することが可能となる。
【００６６】
なお、本実施の形態においては、前述した第１の実施の形態と同様に、撮影したランドマークにより、ユーザが当該ランドマークに到達したか否かを判断するようにした。しかし、第２の実施の形態と同様に位置データを用い、デジタルカメラ１ａから撮影時の位置データを送信し、これを受信したメールサーバ３３側で受信した位置データとランドマークＬの位置データとが一致するか否かを判断して、一致した場合にメールアドレスデータを送信するようにしてもよい。
また、各実施の形態においてはデジタルカメラに本発明を適用した場合を示したが、カメラ付き携帯電話やカメラ付きＰＤＡをに本発明を適用するようにしてもよい。
【００６７】
【発明の効果】
【００６８】
以上説明したように本発明に係る携帯機器、データ送受信方法及びデータ送受信処理プログラムによれば、ユーザは予め定められた特定の位置に存在する被写体まで行き、該被写体を撮像した場合、あるいは特定位置で撮像を行った場合に、メール等のデータの送信や受信が可能となる。よって、ユーザ以外の他人は、前記データを受信することにより、ユーザが特定の位置に到達したことを遠隔地で知ることができる。したがって、例えば特定の地点に最も早く到達したことを競うゲームにこの携帯機を用いることもでき、撮像機能を有する携帯機器の興趣性を向上させることができる。
【００６９】
また、本発明に係るデータ送受信システムによれば、ユーザは予め定められた特定の位置に存在する被写体まで行き、該被写体を撮像した場合に、あるいは特定位置で撮像を行った場合に、作成した文書をデータ送信することが可能となる。よって、ユーザ以外の他人が、前記文書データを受信することにより、携帯機器を携帯して外出したユーザが特定の位置に到達したことを遠隔地で知ることが可能なシステムを構築することができる。したがって、例えば特定の地点に最も早く到達したことを競うゲームにこの携帯機を用いることもでき、撮像機能を有する携帯機器の興趣性が向上させ得るシステムを構築することができる。
【図面の簡単な説明】
【図１】本発明の一実施の形態に係るメール送受信システムの構成を示すブロック図である。
【図２】デジタルカメラの構成を示すブロック図である。
【図３】撮像部の詳細を示すブロック図である、
【図４】第１の実施の形態におけるＲＯＭのメモリエリアの構成を示す概念図である。
【図５】ＲＡＭのメモリエリアの構成を示す概念図である。
【図６】第１の実施の形態おける処理手順を示すフローチャートである。
【図７】同実施の形態の動作説明図である。
【図８】第２の実施の形態におけるＲＯＭのメモリエリアの構成を示す概念図である。
【図９】同実施の形態おける処理手順を示すフローチャートである。
【図１０】同実施の形態の動作説明図である。
【図１１】第３の実施の形態におけるＲＯＭのメモリエリアの構成を示す概念図である。
【図１２】同実施の形態おけるデジタルカメラの処理手順を示すフローチャートである。
【図１３】同実施の形態おけるメールサーバの処理手順を示すフローチャートである。
【図１４】同実施の形態の動作説明図である。
【符号の説明】
１ａ    デジタルカメラ
１ｂ    デジタルカメラ
２    無線基地局
３    通信サービス事業者
４    通信回線網
１１    アンテナ
１２    ＧＰＳモジュール
１３    表示部
１４    キー操作部
１８    撮像部
２０    無線送受信部
２１    無線信号処理部
２２    制御部
２３    画像メモリ
２４    ＲＯＭ
２５    ドライバ
２９    ＲＡＭ
３３    メールサーバ
１８１    光学レンズ
１８２    撮像素子
１８３    ＴＧ
１８４    ユニット回路
１８５    レンズ駆動回路
２４１    メールソフトウェアプログラム領域
２４２    画像プログラム領域
２４２    画像処理プログラム領域
２４３    ランドマークデータ領域
２４４    特定位置データ領域
２９２    メールデータ格納領域
Ｌ    ランドマーク
Ｍ    メール
Ｐ    特定位置
【図１】
2005020665.tif 000003
【図２】
2005020665.tif 000004
【図３】
2005020665.tif 000005
【図４】
2005020665.tif 000006
【図５】
2005020665.tif 000007
【図６】
2005020665.tif 000008
【図７】
2005020665.tif 000009
【図８】
2005020665.tif 000010
【図９】
2005020665.tif 000011
【図１０】
2005020665.tif 000012
【図１１】
2005020665.tif 000013
【図１２】
2005020665.tif 000014
【図１３】
2005020665.tif 000015
【図１４】
2005020665.tif 000016